(57)【要約】【課題】針無し綴じ処理時のシート束のずれの発生を防止し、高い位置精度で針無し綴じ処理を可能にする。【解決手段】後処理装置２００は、スティプル針２０３ｎを用いてシート束２０３を綴じる針有り綴じユニット２２０と、スティプル針２０３ｎを用いずにシート束２０３を綴じる針無し綴じユニット２１０と、を備え、前記針有り綴じユニット２２０は、前記針無し綴じユニット２１０により前記シート束２０３を綴じる際に、当該シート束２０３を保持するようにした。【選択図】図１６
2019163123.tif 000002
【特許請求の範囲】
【請求項１】
針を用いてシート束を綴じる針有り綴じ手段と、
針を用いずにシート束を綴じる針無し綴じ手段と、を備え、
前記針有り綴じ手段は、前記針無し綴じ手段により前記シート束を綴じる際に、当該シート束を保持するシート処理装置。
【請求項２】
前記針有り綴じ手段は、前記シート束を保持する際に、前記シート束を受け入れる受け入れ間口の間口幅を設定する間口幅設定手段を含む請求項1に記載のシート処理装置。
【請求項３】
前記針有り綴じ手段は、前記シート束を受け入れる受け入れ間口の間口幅を設定してシート保持力を調整する保持力調整手段を含む請求項1に記載のシート処理装置。
【請求項４】
前記針有り綴じ手段は、前記シート束を保持する際に、前記針無し綴じ手段との距離を設定する距離設定手段を含む請求項1に記載のシート処理装置。
【請求項５】
前記シート束の辺のうち前記針有り綴じ手段に対向する辺の端部位置を規制する規制手段を備えた請求項１に記載のシート処理装置。
【請求項６】
前記針有り綴じ手段は、前記針無し綴じ手段により前記シート束を綴じる際に、前記規制手段よりも前記針無し綴じ手段に近接する側の前記針有り綴じ手段に対向する辺上で前記シート束を保持する請求項５に記載のシート処理装置。
【請求項７】
前記針有り綴じ手段は、受け入れ間口を開口することにより前記シート束を受け入れ、当該シート束を保持する保持部を備え、
前記保持部は、前記針無し綴じ手段により前記シート束を綴じる際に、前記シート束に当接して当該シート束を保持する請求項１に記載のシート処理装置。
【請求項８】
請求項１ないし７のいずれか１項に記載のシート処理装置と画像形成装置とを備えた画像形成システム。
【発明の詳細な説明】
【技術分野】
【０００１】
本発明は、シート処理装置及び画像形成システムに関する。
【背景技術】
【０００２】
従来から画像形成システムにおいて、画像形成装置で画像が形成された用紙などのシート束に対して綴じ処理を施すシート処理装置を備えたものが知られている。綴じ処理を行う綴じ処理手段は、スティプル（金属）針を用いて綴じる針有り綴じ手段と、スティプル針を用いないで綴じる針無し綴じ手段が知られている。針無し綴じ手段としては、シート束の厚み方向からシートに凹凸状の絞りを構成する綴じ歯を大きな圧力で押し付けてシート束を構成するシートを変形させ、圧着する圧着綴じ装置が知られている。
【０００３】
この種のシート処理装置としては、前記針有り綴じ手段、前記針無し綴じ手段をそれぞれ単独で備えた装置、及び、両者をともに備えた装置が知られている。後者の例としては、例えば、特開２０１５−２０８２３号公報（特許文献１）に記載された装置が公知である。
【０００４】
この特許文献１記載の装置では、処理トレイのシート搬入エリアに針有り綴じ手段が位置移動可能に配置され、シート搬入エリア外に針無し綴じ手段が配置されている。そして、針有り綴じ手段は処理トレイ上に集積されたシート束をその位置で綴じ処理し、針無し綴じ手段は、シート搬入方向と直交する方向にオフセット手段によって所定量シート束を位置移動させ、その位置で綴じ処理するようになっている。
【発明の概要】
【発明が解決しようとする課題】
【０００５】
ところで、特許文献１記載の綴じ処理装置では、針無し綴じ手段にシートを送るとき、針有り綴じ手段を移動させ、この移動に連動してペーパーガイド部材を下げてシートを受け入れるようになっている。しかし、ペーパーガイド部材は、シート束の移動若しくは受け入れの際にシート束をガイドするだけで、シート束を保持することはない。そのため、針無し綴じ手段によってシート束を綴じるときに、シート束がずれて綴じ位置精度が低下することがあり、前記圧着綴じ装置と同等の問題がある。
【０００６】
通常、この圧着綴じのような針無し綴じを行う場合、圧着時にシートがずれないようにシート保持機構を設ける必要がある。その際、例えばシート押さえ（叩きコロ）が、シート束の後端を規制する後端基準フェンスと針無し綴じを行う針無し綴じ手段から遠くなると（図１５参照）、どうしても綴じ位置精度の低下を招くことになる。
【０００７】
すなわち、特許文献１記載の技術では、針無し綴じ手段で綴じ処理を行う際、針有り綴じ手段を利用し、その移動に連動してペーパーガイド部材によってシートガイドを行うようになっている。しかし、シート束を押さえ、あるいは保持して針無し綴じ処理時にシートがずれないようにする機能は備えていない。そのため、針無し綴じ手段によって圧着綴じを行う場合、シート束に加わる圧力によりシート束が移動し、綴じ精度を損なうおそれがある。
【０００８】
そこで、本発明が解決しようとする課題は、針無し綴じ処理時のシート束のずれの発生を防止し、高い位置精度での針無し綴じ処理を可能とすることにある。
【課題を解決するための手段】
【０００９】
前記課題を解決するため、本発明の一態様は、針を用いてシート束を綴じる針有り綴じ手段と、針を用いずにシート束を綴じる針無し綴じ手段と、を備え、前記針有り綴じ手段は、前記針無し綴じ手段により前記シート束を綴じる際に、当該シート束を保持するシート処理装置を特徴とする。
【発明の効果】
【００１０】
本発明の一態様によれば、針無し綴じ処理時のシート束のずれの発生を防止し、高い位置精度で針無し綴じ処理を行うことができる。なお、前記以外の課題、構成及び効果は、以下の実施形態の説明において明らかにされる。
【図面の簡単な説明】
【００１１】
【図１】本発明の第１の実施形態に係るシート処理装置を備えた画像形成システムの全体の構成を示す概略構成図である。
【図２】第１の実施形態に係る画像形成システムの制御系の要部構成を示すブロック図である。
【図３】図１における後処理装置の搬送路綴じ機構の構成を示す斜視図である。
【図４】図３における搬送路綴じ機構の平面図である。
【図５】第１の実施形態におけるシート整合機構の整合動作を示す動作説明図である。
【図６】第１の実施形態における針無し綴じユニットとシート束の動作を示す動作説明図である。
【図７】第１の実施形態における針無し綴じユニットの綴じ動作を示す動作説明図である。
【図８】針無し綴じユニットによってシート束を綴じるときの従来の動作を示す動作説明図である。
【図９】針無し綴じユニットによってシート束を綴じるときの第１の実施形態の動作を示す動作説明図である。
【図１０】従来例における針無し綴じ時のシート束、搬送ローラ、針無し綴じユニット及び後端基準フェンスの関係を示す平面図である。
【図１１】第１の実施形態における針無し綴じ時のシート束、搬送ローラ、針無し綴じユニット及び後端基準フェンスの関係を示す平面図である。
【図１２】本発明の第２の実施形態に係る後処理装置における搬送路綴じ機構を示す概略構成図である。
【図１３】図１２に示した搬送路綴じ機構を示す斜視図である。
【図１４】従来の針無し綴じ時におけるシート束押さえの状態を示す斜視図である。
【図１５】従来のシート束押さえの状態を示す平面図である。
【図１６】第２の実施形態における針無し綴じ時の状態を示す斜視図である。
【発明を実施するための形態】
【００１２】
本発明は、針有り綴じ手段と針無し綴じ手段とを備えたシート処理装置において、針有り綴じ手段を用紙押さえとしても機能させ、後端基準フェンスと針無し綴じ手段に近い位置でシート束を押さえ、保持することにより、綴じ位置精度を上げることを特徴としている。なお、本発明におけるシート処理装置は、画像形成装置で画像が形成されたシートを後処理する装置を対象としており、本明細書におけるシートは、画像形成対象となる紙、フィルム、合成紙などの紙葉類全般を含む。以下、図面を参照し、本発明の実施形態について詳細に説明する。
［第１の実施形態］
【００１３】
図１は、本発明の実施形態に係るシート処理装置を備えた画像形成システム全体の構成を示す概略構成図である。なお、以下の各図において、同一若しくは同一と見なすことができる各部には同一の参照符号を付し、重複する説明は適宜省略する。
【００１４】
図１において、画像形成システム１は、画像形成装置１００と、画像形成装置１００の後段に機械的及び電気的に連結されたシート処理装置としての後処理装置（フィニッシャー）２００とから構成されている。なお、本実施形態では、後処理装置２００は、画像形成装置１００の後段に接続されているが、後処理装置２００を画像形成装置１００の本体内に内蔵した画像形成システムでもよい。また、画像形成装置１００と後処理装置２００の間に折り処理機能などの他の機能を備えた別体の後処理装置を設けた画像形成システムでもよい。
【００１５】
画像形成装置１００は、複写機能、プリンタ機能などを有するものである。複写機能とは、画像読取装置で読み取った画像を画像情報に変換し、当該画像情報を顕像化してシート上に当該画像を形成して出力する機能である。プリンタ機能とは、パーソナルコンピュータなどの外部機器から入力される画像情報に基づいてシート上に画像を形成して出力する機能である。これらの機能は、例えば電子写真方式、インクジェット方式、熱転写方式などの公知の画像形成エンジンを使用することにより実現される。本実施形態では画像形成に使用するエンジンについては、特に限定しない。
【００１６】
後処理装置２００は、図１に示すように針無し綴じユニット２１０と針有り綴じユニット２２０の２つのユニットを搭載している。針無し綴じユニット２１０は針無し綴じ手段として機能し、針有り綴じユニット２２０は針有り綴じ手段として機能する。いずれも選択的に駆動され、前者が選択された場合、例えば圧着綴じが、後者が選択された場合、例えば金属針を用いた所謂スティプル綴じが行われる。
【００１７】
図２は、本実施形態に係る画像形成システム１の制御系の要部構成を示すブロック図である。画像形成装置１００は制御部１１０と通信部１２０を備え、画像形成装置１００本体に設けられた表示操作部１３０と電気的に接続されている。制御部１１０は、ＣＰＵ、ＲＯＭ、ＲＡＭ等で構成され、画像形成装置１００内の各部を制御する。制御部１１０は、ＲＯＭに格納されたプログラムをＣＰＵがＲＡＭをワークエリアとして使用して前記プログラムを実行することにより各部を制御する。通信部１２０は後処理装置２００と通信するためのものである。表示操作部１３０は、利用者とのユーザーインタフェースである。利用者はキー入力あるいはタッチ入力などの入力機能によりドキュメント操作を行い、表示操作部１３０のディスプレイに表示される情報から画像形成装置１００側の処理状態や利用者の入力情報などを確認することができる。
【００１８】
後処理装置２００は、綴じ処理制御部２０１、針無し綴じユニット２１０、針有り綴じユニット２２０、シート整合機構２３０、針有り綴じユニット移動機構２４０及び後処理通信部２５０を含む。綴じ処理制御部２０１は、針無し綴じユニット２１０、針有り綴じユニット２２０、シート整合機構２３０及び針有り綴じユニット移動機構２４０を含む後処理装置２００の各部を制御する。シート整合機構２３０は、シート２０２の長さ方向及び幅方向を整合し、積層してシート束２０３を作成する。針有り綴じユニット移動機構２４０はシート束２０３のシート搬送方向の最上流側である後端部に平行に設置されたガイドシャフト２４１に沿って針有り綴じユニット２２０を綴じ位置及び保持位置に移動させる。
【００１９】
後処理通信部２５０は画像形成装置１００の通信部１２０との間で通信処理を行う。綴じ処理制御部２０１は、通信部１２０を介して受信した画像形成装置１００の制御部１１０からの制御情報に基づいて綴じ処理のための制御を実行する。また、後処理通信部２５０は、綴じ処理制御部２０１から後処理装置２００の各部の状態情報やシートの処理情報を画像形成装置１００の通信部１２０に送信する。制御部１１０は受信した後処理装置２００側の前記状態情報及び前記処理情報と、表示操作部１３０からの操作情報に基づいて前記各部の制御を行う。
【００２０】
図３は、図１に示した後処理装置２００の搬送路綴じ機構２０５の構成を示す斜視図である。図４は、図３に示した搬送路綴じ機構２０５の平面図である。
【００２１】
図３及び図４に示すように、後処理装置２００の搬送路綴じ機構２０５は、針無し綴じユニット２１０、針有り綴じユニット２２０、シート整合機構２３０、及び針有り綴じユニット移動機構２４０を含む。
【００２２】
針無し綴じユニット２１０は、綴じ針を使用しないでシート束を綴じる装置である。本実施形態では、後述の図７に示すように表面に凹凸の噛み合い歯が形成された上下の綴じ歯２１１，２１２を使用した圧着綴じ機構が使用される。圧着綴じ機構では、上綴じ歯２１１と下綴じ歯２１２の間にシート束２０３を挟んで上下方向から圧力を加え、シート束２０３を変形させ、隣接するシート２０２を互いに食い込ませて圧着する。針有り綴じユニット２２０は、金属性の所謂スティプル針を使用してシート束を綴じる装置である。
【００２３】
シート整合機構２３０は、スティプルトレイ２３１、一対の後端基準フェンス２３２、左右一対のジョガーフェンス２３３及び搬送ローラ２３７を含む。
【００２４】
スティプルトレイ２３１は、画像形成装置１００から排紙され若しくは搬送されてきたシート２０２をシート束２０３として積載し、綴じ処理を行うためのものである。後端基準フェンス２３２は立上がり部を２片備え、スティプルトレイ２３１のシート搬送方向最上流（用紙後端側）に配置されている。スティプルトレイ２３１のシート搬送方向最下流側の上部には、昇降可能に搬送ローラ２３７が設けられている。搬送ローラ２３７は、画像形成装置１００からスティプルトレイ２３１上に排紙されたシート２０２を後端基準フェンス２３２側に搬送し、綴じ処理後のシート束２０３をスティプルトレイ２３１からさらに下流に搬送するためのものである。
【００２５】
搬送ローラ２３７は、シート２０２をスティプルトレイ２３１に受け入れるときはスティプルトレイ２３１の上方に離間してシート２０２をスティプルトレイ２３１との間に搬入する。シート後端を整合するとき、及びシート束２０３を搬出するときには、搬送ローラ２３７は、シート２０２あるいはシート束２０３の上面に接触し、シート２０２あるいはシート束２０３に搬送力を付与する。後端基準フェンス２３２の立上がり部の内面は、画像形成装置１００から搬送されたシート２０２の後端を突き当てて整合する基準面である。ジョガーフェンス２３３は、シート２０２を整合する一対の整合板であり、画像形成装置１００から搬送されたシート２０２を幅方向の両側から挟み込んで整合する。ジョガーフェンス２３３は、スティプルトレイ２３１の裏面に配置された駆動機構によって駆動される。
【００２６】
図５は、図３及び図４におけるシート整合機構２３０の整合動作を示す動作説明図である。同図（ａ）に示すように画像形成装置１００から搬送され、離間位置にある搬送ローラ２３７とスティプルトレイ２３１との間に送り込まれたシート２０２は、シート２０２の上面に当接するまで下降した搬送ローラ２３７によってシート整合機構２３０に搬送される。シート整合機構２３０では、搬送ローラ２３７は同図（ｂ）に示すようにシート２０２を後端基準フェンス２３２側に搬送し、シート２０２の後端を後端基準フェンス２３２（の立上がり部）に突き当てる。これにより、シート２０２の長さ方向（シート搬送方向）が揃えられる。
【００２７】
後端が後端基準フェンス２３２に突き当てられたシート２０２は、同図（ｃ）に示すようにスティプルトレイ２３１の両側にそれぞれ設けられた一対のジョガーフェンス２３３によって幅方向（シート搬送方向と平行な方向）が揃えられる。ジョガーフェンス２３３は、シート２０２の後端が揃えられた後、シート２０２の側部（搬送方向に直交する方向）から対向するように対称に往復移動してシート２０２の側部を挟み込み、シート２０２の幅方向を揃える。シート２０２は、このようにして１枚の排紙ごとに長さ方向と幅方向が揃えられ、縦横が揃ったシート束２０３がスティプルトレイ２３１上に形成され、積層される。
【００２８】
図４において、針有り綴じユニット移動機構２４０は、針有り綴じユニット移動ガイドシャフト（以下、ガイドシャフトと略称する）２４１、針有り綴じユニットホームポジションセンサ２４２、及び針有り綴じユニット駆動装置を含む。ガイドシャフト２４１は、スティプルトレイ２３１の後端基準フェンス２３２のさらにシート搬送方向上流側にシート２０２の幅方向に沿って設けられている。ガイドシャフト２４１は、針有り綴じユニット２２０が用紙幅方向の全幅に亘って安定して移動可能なように、その移動をガイドする。
【００２９】
針有り綴じユニットホームポジションセンサ２４２は、ガイドシャフト２４１上の針有り綴じユニット２２０のホーム位置を検出するためのものである。針有り綴じユニット駆動装置はモータとモータの駆動力伝達機構を含む。駆動力伝達機構としては、例えばスクリューシャフトを使用した機構、ワイヤを使用した機構などが知られている。綴じ処理制御部２０１は、針有り綴じユニットホームポジションセンサ２４２が検出した位置を針有り綴じユニット２２０のホームポジションとして、前記駆動力伝達機構並びに綴じを実行するドライバ及びクリンチャを含む後処理装置２００の各部を制御する。針無し綴じユニット２１０は、図４において、ガイドシャフト２４１のシート搬送方向３００に対して右側（図示上側）の端部に近接した位置に設置されている。
【００３０】
図６は針無し綴じユニット２１０とシート束２０３の動作を示す動作説明図、図７は針無し綴じユニット２１０の綴じ動作を示す動作説明図である。
【００３１】
図６に示すように、針有り綴じユニット２２０はガイドシャフト２４１にガイドされ、シート束２０３の後端（シート搬送方向の最上流側の縁部）に沿って移動可能である。停止位置（綴じ位置）は綴じ処理制御部２０１によって設定され、入力され、あるいは予め設定された位置に針有り綴じユニット駆動装置のモータを含む駆動力伝達機構によって移動し、スティプル針２０３ｎを使用した綴じ処理が行われる。符号２２１はスティプル針２０３ｎで綴じた綴じ位置の例を示している。スティプル針２０３ｎを使用した針有り綴じ自体の動作は慣用技術なので説明は省略する。
【００３２】
針無し綴じユニット２１０は、図７に示すように、上綴じ歯２１１と、下綴じ歯２１２と、下綴じ歯２１２に対して上綴じ歯２１１を近接圧着させる圧着駆動機構と、を含む。圧着綴じは、図７（ａ）に示すように上綴じ歯２１１と下綴じ歯２１２との間にシート束２０３を挿入し、圧着駆動機構によりシート束２０３の厚み方向から上綴じ歯２１１と下綴じ歯２１２で加圧することにより行われる。この加圧により、圧着された部分には、綴じ歯跡２１３が形成される。この種の圧着綴じ自体も慣用技術なので詳細な説明は省略する。なお、シート束２０３は、図６（ｂ）に示すように、後端基準フェンス２３２と.ジョガーフェンス２３３によって整合されたシート束２０３を、ジョガーフェンス２３３により幅方向の両側で挟んで上綴じ歯２１１と下綴じ歯２１２との間へ挿入される。圧着されたシート束２０３は、シート２０２の繊維同士が絡みあうことによって綴じられる。
【００３３】
図８及び図９は針無し綴じユニット２１０によってシート束２０３を綴じるときの動作を示す動作説明図である。図８は従来例を、図９は本実施形態をそれぞれ示す。なお、図８及び図９は、シート束２０３の後端をガイドシャフト２４１の軸心の延長方向から見た状態を示している。また、図１０は従来例における針無し綴じ時のシート束２０３、搬送ローラ２３７、針無し綴じユニット２１０及び後端基準フェンス２３２の関係を示す平面図、図１１は本実施形態における同関係を示す平面図である。
【００３４】
従来では、図６（ｂ）において実線で示すように、針無し綴じユニット２１０で綴じる場合には、針有り綴じユニット２２０はシート束２０３の幅方向から外れたホームポジションで待機する。この状態でシート束２０３がジョガーフェンス２３３によって針無し綴じ位置に移動すると、シート束２０３の図示右上の角部が針無し綴じユニット２１０の上綴じ歯２１１と下綴じ歯２１２との間に入る。そして、その位置で針無し綴じが行われる。
【００３５】
一方、本実施形態では、図６（ｂ）に示すようにシート束２０３が、ジョガーフェンス２３３によって針無し綴じ位置に移動すると、針有り綴じユニット２２０が一点鎖線で示すシート押さえ位置に移動する。図１１のＡ位置が、この一点鎖線の位置に対応する。このとき、シート束２０３は、後端部２０３ａが後端基準フェンス２３２の基準面２３２ｃに突き当てられた状態で、針有り綴じユニット２２０の綴じ部２２０ａ内に位置している。同時にシート束２０３の図６（ｂ）における右上の角部が針無し綴じユニット２１０の綴じ部２１０ａ内に位置している。すなわち、シート束２０３は図８の状態で、針無し綴じユニット２１０の上綴じ歯２１１と下綴じ歯２１２との間に入っている。
【００３６】
針有り綴じユニット２２０は、図８及び図９に示すように本体部２２０ｂと、保持部２２０ｃとからなる。本体部２２０ｂには、スティプル針２０３ｎを打ち出すドライバが、保持部２２０ｃには、打ち出されたスティプル針２０３ｎを折り曲げてシート束２０３を綴じるクリンチャが、それぞれ設けられている。保持部２２０ｃは、シート束２０３の上面側で本体部２２０ｂに対して回動支軸２２０ｄによって回動若しくは揺動可能に支持され、駆動モータ２２０ｅによって保持位置と離間位置に移動可能となっている。保持位置は、綴じ部２２０ａ内でシート束２０３を押さえ、保持する位置で、針無し綴じ処理時に位置する。離間位置は、保持部２２０ｃがシート束２０３から離間した位置であり、この位置では、保持部２２０ｃはシート束２０３の上面から離間し、シート束２０３を押さえることも、シート束２０３を綴じることもできない。駆動モータ２２０ｅは針有り綴じユニット２２０に含まれ、綴じ処理制御部２０１によって駆動が制御される。
【００３７】
本実施形態では、前述のようにシート束２０３の右上の角部が針無し綴じユニット２１０の上綴じ歯２１１と下綴じ歯２１２との間に位置し、針有り綴じユニット２２０が一点鎖線の位置への移動が完了した時点で、保持部２２０ｃを保持位置側に回動させる。これによりシート束２０３の後端が後端基準フェンス２３２にごく近い位置で保持されることになる。そして、シート束２０３の保持が完了すると、その状態で上綴じ歯２１１が下綴じ歯２１２側に移動して前述のようにしてシート束２０３が加圧され、圧着綴じが行われる。
【００３８】
すなわち、綴じ処理制御部２０１は、針無し綴じユニット２１０の綴じ位置にシート束２０３が受け入れられた後、針有り綴じユニット２２０の駆動モータ２２０ｅを駆動して保持部２２０ｃをシート束２０３の保持側に回動させ、シート束２０３を押さえる。その後、綴じ処理制御部２０１は、針無し綴じユニット２１０の上綴じ歯２１１を駆動し、圧着綴じを実行する。
【００３９】
その際、針有り綴じユニット２１０は、図９に示したようにシート束２０３を厚み方向から挟んで押圧するように保持することが好ましい。これにより、シート束２０３に押圧力を与えることができ、針無し綴じをおこなう際の綴じ位置の精度がより高くなる。また、シート束２０３を厚み方向から挟んで押圧するために、保持部２２０ｃの上方にスプリングなどの付勢手段を備え、押圧力を付与するようにしてもよい。
【００４０】
綴じが完了すると、上記の手順が逆に行われ、シート束２０３は針無し綴じユニット２１０と針有り綴じユニット２２０から開放される。その後、シート束２０３は、搬送ローラ２３７によってシート搬送方向下流側に搬送され、スティプルトレイ２３１上から後段に搬送され、あるいはスタッカなどに排紙される。
【００４１】
なお、図４に示したように、針有り綴じユニット２２０はガイドシャフト２４１に沿ってシート束２０３の後端の幅方向の全域に亘って移動可能である。そのため、針無し綴じユニット２１０によって針無し綴じを行う際には、図４に示すガイドシャフト２４１に沿って移動可能な位置であれば、どの位置で保持するかは任意に設定することができる。すなわち、図１１に符号Ｂで示すように、後端基準フェンス２３２よりも針無し綴じユニット２１０に寄った針無し綴じユニット２１０に非常に近い位置に設定することが可能となり、当該位置でシート束２０３を押さえ、保持することができる。
【００４２】
本実施形態では、図９に示すように針有り綴じユニット２２０の綴じ部２２０ａの受け入れ間口２２０ｆを開口し、シート束２０３を受け入れる間口幅２２０ｇを、シート束２０３を綴じることなく、かつ、シート束２０３を押さえることが可能な幅で停止させる。これにより、針有り綴じユニット２２０をシート束２０３の保持手段として使用する。このように針有り綴じユニット２２０をシート束２０３の保持手段として使用することによって、後端基準フェンス２３２と針無し綴じユニット２１０の近くでシート束２０３を保持することができる。
【００４３】
すなわち、従来では、針無し綴じユニット２１０で綴じる際、シート束２０３に大きな力が加わり、シート束２０３に搬送ローラ２３７あるいは後端基準フェンス２３２を支点とするモーメントが作用していた。そのため、従来では、このモーメントの作用によりシート束２０３が移動し、綴じ位置精度が低下することがあった。しかし、本実施形態では、針無し綴じユニット２１０と後端基準フェンス２３２に近い位置で、シート束２０３を押さえて圧着綴じ処理を行うので、綴じ処理時にシート束２０３に生じるモーメントを抑制することができる。これにより、シート束２０３の移動量を抑えることが可能となり、綴じ位置精度の向上を図ることができる。
【００４４】
その際、シート束２０３の保持手段として、既設の針有り綴じユニット２２０を使用し、新たに別の部材や機構を導入する必要がないので、低コストで綴じ位置精度の高い、シート処理装置を提供することができる。
【００４５】
なお、本実施形態では、針無し綴じユニット２１０の綴じ部２１０ａにシート束２０３を受け入れる際には、長さ方向と幅方向の整合が終わった後、シート束２０３をジョガーフェンス２３３によって移動させるように構成している。しかし、これに代えて、シート束２０３を針無し綴じユニット２１０に向けて搬送してもよい。また、シート束２０３を停止させたまま針無し綴じユニット２１０を移動させて、綴じ部２１０ａに受け入れるようにしてもよい。
【００４６】
また、本実施形態では、針有り綴じユニット２２０のシート束２０３の受け入れ間口部（綴じ部２２０ａ）を形成する保持部２２０ｃによりシート束２０３を保持するように構成されている。その結果、シート束２０３の受入れと保持の機能を共通にすることができ、装置を小型にできる点で好ましい。しかし、シート束２０３を受け入れる受け入れ間口部を形成する部材とは別に保持部を設けて、シート束２０３を保持するように構成しても良い。
【００４７】
また、本実施形態では保持部２２０ｃはシート束２０３を綴じる辺と平行な回転支点を中心に回動可能な構成としたが、回動機構はこれに限らない。シート束２０３を綴じる辺と直交する方向にのびる回転支点を中心に回動する構成としても良い。また、ソレノイド等の機構を用いて保持部２２０ｃを用紙束厚み方向に平行移動させる構成としてもよい。
【００４８】
さらに、本実施形態では、保持部２２０ｃを回動させるためにリンク機構等の連動機構を備えないので、構成が複雑になることはない。
［第２の実施形態］
【００４９】
第１の実施形態では、搬送ローラ２３７によってスティプルトレイ２３１上に搬送されてきたシート２０２を整合し、綴じ後、シート束２０３をスティプルトレイ２３１上から搬出している。これに対し、第２の実施形態は、搬送ローラ２３７に代えて叩きコロ及び戻しコロを使用して、シート２０２を整合し、綴じ後、シート束２０３を搬出するように構成している。
【００５０】
なお、以下の説明において、前述の第１の実施形態と同一若しくは同一と見なせる各部には、同一の参照符号を付し、重複する説明は適宜省略する。
【００５１】
図１２は第２の実施形態に係るシート処理装置としての後処理装置２００における搬送路綴じ機構２０５を示す概略構成図、図１３は図１２の斜視図である。
【００５２】
図１２及び図１３において、スティプルトレイ２３１には、シート搬送方向に沿ってその中央部に上流側から戻しコロ２３４及び叩きコロ２３５が、この順に配置されている。叩きコロ２３５は画像形成装置１００の搬送経路最下流部に設けられた排紙ローラ対１４１からスティプルトレイ２３１上に排紙されたシート２０２を後端基準フェンス２３２側に叩いて移動させるものである。叩きコロ２３５によって後端基準フェンス２３２側に移動させられたシート２０２は、戻しコロ２３４によって押さえられながら後端基準フェンス２３２側に戻される。シート２０２は、戻しコロ２３４によって後端基準フェンス２３２に突き当てられ、シート２０２の後端が後端基準フェンス基準で揃えられる。これによりシート２０２の所謂長さ方向が揃えられることになる。
【００５３】
また、本実施形態では、ジョガーフェンス２３３に隣接したスティプルトレイ２３１上に一対の可動ガイド部材２３６が設けられている。可動ガイド部材２３６は、軸２３６ａに関して可動ガイド部材駆動モータによって揺動可能になっている。可動ガイド部材２３６は、シート２０２が後端基準フェンス２３２側に叩き落とされ、後端基準フェンス２３２基準で長さ方向が揃えられる際はシート面から離れ、綴じ処理を行うときには、シート面に接触するように駆動される。戻しコロ２３４、叩きコロ２３５、及び可動ガイド部材２３６はシート整合機構２３０の駆動制御系に含まれ、それぞれを駆動するモータは、綴じ処理制御部２０１によって制御される。
【００５４】
本実施形態では、スティプルトレイ２３１に搬入されたシート２０２は、シート２０２１枚ごとに叩きコロ２３５と戻しコロ２３４によって後端基準フェンス２３２に突き当てて長さ方向を整合し、その後、ジョガーフェンス２３３で幅方向を整合する。
【００５５】
その際、従来では、図１４に示すように針有り綴じユニット２２０をシート束２０３の綴じ位置から外れた位置に移動させ、叩きコロ２３５でシート束２０３を押さえ付け、針無し綴じユニット２１０によって図７に示した圧着綴じを行っていた。このように叩きコロ２３５でシート束２０３を押さえた場合、図１５に示すようにシート束２０３を押さえた位置が針無し綴じユニット２１０及び後端基準フェンス２３２から遠く（距離Ｌ）なっていた。そのため、針無し綴じユニット２１０によって加圧する際にシート束２０３に生じるモーメントが大きくなる。これにより、シート束２０３の回転を含むシート束２０３の移動量が多くなり、綴じ精度が低下する原因となっていた。
【００５６】
図１６は、本実施形態における針無し綴じ時の状態を示す斜視図である。針無し綴じを行う場合、本実施形態では、針有り綴じユニット２２０は針無し綴じユニット２１０に近接した位置に移動している。この位置は、針無し綴じユニット２１０に近い側の後端基準フェンス２３２よりもさらに針無し綴じユニット２１０に近い位置であり、図１１におけるＢ位置に相当する。
【００５７】
この状態で、図１６及び図８に示すように、シート束２０３の図において右上の角部は針無し綴じユニット２１０の綴じ部２１０ａ内に位置し、後端部２０３ａは針有り綴じユニット２２０の綴じ部２２０ａ内に位置している。また、本実施形態では、可動ガイド部材２３６の先端部もシート束２０３の上面に当接し、シート束２０３を押さえている。針無し綴じユニット２１０は、この状態で、第１の実施形態で説明したように上綴じ歯２１１を加圧駆動し、下綴じ歯２１２との間でシート束２０３の圧着綴じを行う。
【００５８】
なお、針有り綴じユニット２２０のガイドシャフト２４１に沿っての移動は、駆動モータを含む針有り綴じユニット移動機構２４０によって行われる。ジョガーフェンス２３３の駆動機構、可動ガイド部材２３６の駆動機構、戻しコロ２３４の駆動機構及び叩きコロ２３５の駆動機構の制御系は、シート整合機構２３０の制御系に含まれ、綴じ処理制御部２０１によって制御される。針有り綴じユニット移動機構２４０の制御系も同様に綴じ処理制御部２０１によって制御される。
【００５９】
その他、特に説明しない各部は第１の実施形態と同様に構成され、同様に動作する。
【００６０】
以上のように、従来では、針無し綴じユニット２１０で綴じる際、シート束２０３に大きな力が加わり、シート束２０３に叩きコロ２３５あるいは後端基準フェンス２３２を支点とするモーメントが作用する。そのため、シート束２０３が移動し、綴じ位置精度が低下することがあった。しかし、本実施形態では、針無し綴じユニット２１０と後端基準フェンス２３２に近い位置で、さらには、後端基準フェンス２３２よりも張り成り綴じユニット２１０に近い位置で、シート束２０３を押さえて圧着綴じ処理を行うことができる。その結果、綴じ処理時にシート束２０３に生じるモーメントを抑制することができる。これにより、シート束２０３の移動量を抑えることが可能となり、綴じ位置精度の向上を図ることができる。
【００６１】
その際、シート束２０３の保持手段として、既設の針有り綴じユニット２２０を使用し、新たに別の部材や機構を導入する必要がないので、低コストで綴じ位置精度の高い、シート処理装置を提供することができる。
【００６２】
以上のように、本発明を第１及び第２の実施形態に対応させれば、次のような効果を奏する。なお、以下の説明では、第１及び第２の実施形態の各部と特許請求の範囲における各構成要素について対応を取り、両者の用語が異なる場合には後者をかっこ書きで示し、また、対応する参照符号を付して両者の対応関係を明確にした。
【００６３】
（１）第１及び第２の実施形態によれば、スティプル針２０３ｎ（針）を用いてシート束２０３を綴じる針有り綴じユニット２２０（針有り綴じ手段）と、スティプル針２０３ｎを用いずにシート束２０３を綴じる針無し綴じユニット２１０（針無し綴じ手段）と、を備え、前記針有り綴じユニット２２０は、前記針無し綴じユニット２１０により前記シート束２０３を綴じる際に、当該シート束２０３を保持するようにした。これにより、針無し綴じが実行される際、針無し綴じユニット２１０の近くで、シート束２０３の綴じ側の端部が針有り綴じユニット２２０で保持されているので、針無し綴じ処理時のシート束のずれの発生を防止することができる。その結果、高い位置精度で針無し綴じ処置を行うことができる。その際、既設の針有り綴じユニット２２０によってシート束２０３を保持するので、別途、シート束２０３の保持機構を設ける必要がない。
【００６４】
（２）前記針有り綴じユニット２２０は、シート束２０３を保持する際に、シート束２０３を受け入れる受け入れ間口２２０ｆの間口幅２２０ｇを設定する綴じ処理制御部２０１（間口幅設定手段）を含むので、シート束２０３の厚さに応じて間口幅２２０ｇを変更することができる。
【００６５】
（３）前記針有り綴じユニット２２０は、シート束２０３を受け入れる受け入れ間口２２０ｆの間口幅２２０ｇを設定してシート保持力を調整する綴じ処理制御部２０１（保持力調整手段）を含むので、シート束２０３の厚さに応じて間口幅２２０ｇを変更し、シート保持力を調整することができる。
【００６６】
（４）前記針有り綴じユニット２２０は、シート束２０３を保持する際に、針無し綴じユニット２１０との距離を設定する綴じ処理制御部２０１（距離設定手段）を含むので、綴じ処理制御部２０１は、針有りユニット移動機構２４０を制御して針無し綴じユニット２１０との距離を設定し、シート束２０３を保持する位置を調整することができる。
【００６７】
（５）前記シート束２０３の針有り綴じユニット２２０に対向する後端部２０３ａ（辺）の端部位置を規制する後端基準フェンス２３２（規制手段）を備えたので、後端基準フェンス２３２によりシート束２０３の位置が揃っている後端部２０３ａ（辺）の近傍でシート束２０３を保持することになり、針無し綴じ時のシート束２０３のずれをさらに抑えることができる。
【００６８】
（６）前記（５）における針有り綴じユニット２２０は、針無し綴じユニット２１０によりシート束２０３を綴じる際に、後端基準フェンス２３２よりも針無し綴じユニット２１０に近接する側の後端部２０３ａ（針有り綴じ手段に対向する辺上）でシート束２０３を保持するので、針無し綴じユニット２１０にごく近い位置でシート束２０３が保持され、その結果、綴じ位置の精度をより高くすることができる。
【００６９】
（７）前記針有り綴じユニット２２０は、受け入れ間口を開口することによりシート束２０３を受け入れ、当該シート束２０３を保持する保持部２２０ｃを備え、保持部２２０ｃは、針無し綴じユニット２１０によりシート束２０３を綴じる際に、シート束２０３に当接してシート束２０３を保持するので、保持部２２０ｃがシート束２０３の受け入れ間口２２０ｆを構成することができる。すなわち、受け入れ間口２２０ｆを形成する部材が、シート束２０３の保持部２２０ｃを兼ねるので、シート束２０３の保持構成を小型で簡易なものとすることができる。
【００７０】
（８）画像形成システム１が前記（１）ないし（７）に示した後処理装置２００（シート処理装置）と画像形成装置１００とを備えているので、前記（１）ないし（７）に示した効果を奏する画像形成システム１を提供することができる。
【００７１】
なお、本発明は前述した実施形態に限定されず、本発明の要旨を逸脱しない範囲で種々の変形が可能であり、特許請求の範囲に記載された技術思想に含まれる技術的事項の全てが本発明の対象となる。前記実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００７２】
１  画像形成システム
１００  画像形成装置
２００  後処理装置（シート処理装置）
２０１  綴じ処理制御部（間口幅設定手段、保持力調整手段、距離設定手段）
２０３  シート束
２０３ａ  後端部（辺）
２０３ｎ  スティプル針（針）
２１０  針無し綴じユニット（針無し綴じ手段）
２２０  針有り綴じユニット（針有り綴じ手段）
２２０ｃ  保持部
２２０ｆ  受け入れ間口
２２０ｇ  間口幅
２３２  後端基準フェンス（規制手段）
２４０  針有りユニット移動機構
【先行技術文献】
【特許文献】
【００７３】
【特許文献１】特開２０１５−０２０８２３号公報
【図１】
2019163123.tif 000003
【図２】
2019163123.tif 000004
【図３】
2019163123.tif 000005
【図４】
2019163123.tif 000006
【図５】
2019163123.tif 000007
【図６】
2019163123.tif 000008
【図７】
2019163123.tif 000009
【図８】
2019163123.tif 000010
【図９】
2019163123.tif 000011
【図１０】
2019163123.tif 000012
【図１１】
2019163123.tif 000013
【図１２】
2019163123.tif 000014
【図１３】
2019163123.tif 000015
【図１４】
2019163123.tif 000016
【図１５】
2019163123.tif 000017
【図１６】
2019163123.tif 000018